(57)【要約】      （修正有）【課題】撮影条件の不備や被写体の体動などによって撮影に失敗した場合は放射線画像の画質が劣化し、診断に適さない放射線画像となる可能性がある。劣化した放射線画像がPACSなどの画像サーバへ送信されて、サーバ上では撮影の失敗有無がわからず、そのまま診断に使用された場合に誤診を招くことを回避する。【解決手段】本発明に係る放射線撮影システムは、放射線撮影を行い、検出された放射線に基づいて放射線画像を生成する放射線撮影手段と、前記放射線画像に画像処理を施す画像処理手段と、前記放射線撮影の可否が入力され、前記放射線撮影が可であると入力された場合は、前記画像処理手段が前記画像処理された前記放射線画像を所定の画像管理手段に送信するための指示を実行する情報端末と、を備える【選択図】図１
2018126329.tif 000002
【特許請求の範囲】
【請求項１】
放射線撮影を行い、検出された放射線に基づいて放射線画像を生成する放射線撮影手段と、
前記放射線画像に画像処理を施す画像処理手段と、
前記放射線撮影の可否が入力され、前記放射線撮影が可であると入力された場合は、前記画像処理手段が前記画像処理された前記放射線画像を所定の画像管理手段に送信するための指示を実行する情報端末と、
を備えることを特徴とする放射線撮影システム。
【請求項２】
前記情報端末は、前記放射線撮影手段から受信した前記放射線画像に基づいて前記放射線撮影の可否を入力することを特徴とする請求項１に記載の放射線撮影システム。
【請求項３】
前記放射線画像を識別する画像ＩＤを生成する生成手段を備え、
前記情報端末は、前記画像ＩＤとともに前記放射線撮影の可否を前記画像処理手段に送信し、
前記画像処理手段は、前記放射線撮影が可である前記放射線画像を前記画像ＩＤに基づいて特定し、前記放射線撮影が可である前記放射線画像を前記所定の画像管理手段に送信することを特徴とする請求項１又は２に記載の放射線撮影システム。
【請求項４】
前記放射線画像を識別する画像ＩＤを生成する生成手段を備え、
前記情報端末は、前記画像ＩＤとともに前記放射線撮影の可否を前記放射線撮影手段に送信し、
前記放射線撮影手段は、前記放射線撮影が可である前記放射線画像を前記画像ＩＤに基づいて特定し、前記放射線撮影が可である前記放射線画像を前記画像処理手段に送信することを特徴とする請求項１乃至３の何れか１項に記載の放射線撮影システム。
【請求項５】
前記情報端末は、
前記放射線画像に基づいて前記放射線撮影の可否を入力し、
前記放射線撮影が不可であると入力された場合は、前記画像処理手段が前記画像処理された前記放射線画像を前記所定の画像管理手段と異なる画像管理手段に送信するための指示、前記画像処理手段が前記画像処理を中止するための指示、及び前記画像処理手段が前記放射線画像を破棄するための指示の少なくとも１つを実行することを特徴とする請求項１乃至４の何れか１項に記載の放射線撮影システム。
【請求項６】
前記放射線画像を識別する画像ＩＤを生成する生成手段を備え、
前記情報端末は、前記画像ＩＤとともに前記放射線撮影の可否を前記画像処理手段に送信し、
前記画像処理手段は、
前記放射線撮影が不可である前記放射線画像を前記画像ＩＤに基づいて特定し、
前記放射線撮影が不可である前記放射線画像を前記所定の画像管理手段と異なる画像管理手段に送信すること、前記放射線撮影が不可である前記放射線画像の前記画像処理を中止すること、及び前記放射線撮影が不可である前記放射線画像を破棄することの少なくとも１つを実行することを特徴とする請求項１乃至５の何れか１項に記載の放射線撮影システム。
【請求項７】
前記情報端末は、
前記放射線画像に基づいて前記放射線撮影の可否を入力し、
前記放射線撮影が不可であると入力された場合は、前記放射線撮影手段が前記放射線画像を前記所定の画像管理手段と異なる画像管理手段に送信するための指示、前記放射線撮影手段が前記放射線画像を前記画像処理手段へ送信することを中止するための指示、及び前記放射線撮影手段が前記放射線画像を破棄するための指示の少なくとも１つを実行することを特徴とする請求項１乃至６の何れか１項に記載の放射線撮影システム。
【請求項８】
前記放射線画像を識別する画像ＩＤを生成する生成手段を備え、
前記情報端末は、前記画像ＩＤとともに前記放射線撮影の可否を前記放射線撮影手段に送信し、
前記放射線撮影手段は、
前記放射線撮影が不可である前記放射線画像を前記画像ＩＤに基づいて特定し、
前記放射線撮影が不可である前記放射線画像を前記所定の画像管理手段と異なる画像管理手段に送信すること、前記放射線撮影が不可である前記放射線画像の前記画像処理手段への送信を中止すること、及び前記放射線撮影が不可である前記放射線画像を破棄することの少なくとも１つを実行することを特徴とする請求項１乃至７の何れか１項に記載の放射線撮影システム。
【請求項９】
前記所定の画像管理手段と異なる画像管理手段は、撮影情報に基づいて、前記放射線撮影が不可である原因を分析することを特徴とする請求項４乃至８の何れか１項に記載の放射線撮影システム。
【請求項１０】
放射線撮影を行い、検出された放射線に基づいて放射線画像を生成する放射線撮影手段と、
前記放射線画像に画像処理を施す画像処理手段と、
前記放射線撮影の可否が入力され、前記放射線撮影が可であると入力された場合は、前記画像処理手段が前記画像処理された前記放射線画像を第１の画像管理手段に送信するための指示を実行し、前記放射線撮影が不可であると入力された場合は、前記画像処理手段が前記画像処理された前記放射線画像を第２の画像管理手段に送信するための指示を実行する情報端末と、
を備えることを特徴とする放射線撮影システム。
【請求項１１】
放射線撮影を行い、検出された放射線に基づいて放射線画像を生成する放射線撮影手段と、前記放射線画像に画像処理を施す画像処理手段と、通信可能な情報端末であって、
前記放射線撮影の可否が入力され、
前記放射線撮影の可が入力された場合は、前記画像処理手段が前記画像処理された前記放射線画像を所定の画像管理手段に送信するための指示を実行することを特徴とする情報端末。
【請求項１２】
放射線撮影を行い、検出された放射線に基づいて放射線画像を生成する工程と、
前記放射線画像に画像処理を施す工程と、
前記放射線撮影の可否を入力する工程と、
前記放射線撮影の可が入力された場合は、画像処理手段により前記画像処理された前記放射線画像を所定の画像管理手段に送信するための指示を実行する工程と、
を備えることを特徴とする放射線撮影方法。
【請求項１３】
コンピュータを請求項１乃至１０の何れか１項に記載の放射線撮影システムの各手段として機能させるためのプログラム。
【発明の詳細な説明】
【技術分野】
【０００１】
本発明は、医療用画像診断装置、非破壊検査装置、及び放射線を用いた分析装置などに適用される放射線撮影システム、情報端末、放射線撮影方法、及びプログラムに関する。
【背景技術】
【０００２】
例えば、医療分野において、患者の術後経過観察などの目的で放射線撮影を実施する際に、患者の様態によっては、患者を放射線撮影室に移送することが困難な場合がある。このようなケースに対応するため、患者の入院病棟を巡回して病室で放射線撮影を実施する放射線撮影用回診車など（以下、「回診車」と称する）が用いられることが多い。一般的な回診車は、放射線発生装置、ＦＰＤ（Ｆｌａｔ Ｐａｎｅｌ Ｄｅｔｅｃｔｏｒ）、画像処理コントローラ、及び画像処理コントローラと接続されたモニタを備える。ＦＰＤにて取得された放射線画像は、画像処理コントローラへ送信され、画像処理コントローラで画像処理が実施され、モニタに表示される。
【０００３】
近年、回診車による撮影を行う際に、病室を巡回するための運搬物を減らし、効率的な撮影を実施したいとの要望が存在する。そこで、放射線撮影の操作などを行う携帯端末を用いることにより、画像処理が実施された放射線画像が、携帯端末へ送信され、携帯端末に表示される放射線撮影システムが提案されている。操作者は、携帯端末に表示された放射線画像を確認して、放射線撮影の可否を判断することができる。
【先行技術文献】
【特許文献】
【０００４】
【特許文献１】特開２０１６−１０１２１０号公報
【特許文献２】特開２０１６−３４４７０号公報
【発明の概要】
【発明が解決しようとする課題】
【０００５】
しかしながら、従来の回診車による放射線画像撮影システム運用において、撮影条件の不備や被写体の体動などによって、放射線撮影が失敗した場合は、診断に適さない放射線画像となる可能性がある。診断に適さない放射線画像がＰＡＣＳへ送信されると、ＰＡＣＳでは放射線撮影の成功／失敗が分からないため、診断に適さない放射線画像が診断に使用された場合、誤診の可能性があるという課題があった。
【課題を解決するための手段】
【０００６】
本発明に係る放射線撮影システムは、放射線撮影を行い、検出された放射線に基づいて放射線画像を生成する放射線撮影手段と、前記放射線画像に画像処理を施す画像処理手段と、前記放射線撮影の可否が入力され、前記放射線撮影が可であると入力された場合は、前記画像処理手段が前記画像処理された前記放射線画像を所定の画像管理手段に送信するための指示を実行する情報端末と、を備える。
【発明の効果】
【０００７】
本発明によれば、放射線撮影に成功した場合に、放射線画像が画像管理手段に送信され、放射線撮影に失敗した放射線画像が画像管理手段に送信されないため、誤診などの問題を解決することができる。
【図面の簡単な説明】
【０００８】
【図１】本発明に関わる放射線撮影システムの構成例を示す図である。
【図２】放射線撮影装置の一例を示すブロック図である。
【図３】第１の実施形態における放射線撮影装置の動作を示すフローチャートである。
【図４】第１の実施形態における携帯端末の動作を示すフローチャートである。
【図５】第１の実施形態における画像処理コントローラの動作を示すフローチャートである。
【図６】第２の実施形態における放射線撮影装置の動作を示すフローチャートである。
【図７】第２の実施形態における携帯端末の動作を示すフローチャートである。
【発明を実施するための形態】
【０００９】
（第１の実施形態）
【００１０】
図１は、本発明に係る第１の実施形態の放射線撮影システムの一例を示す構成図である。図２は、本実施形態の放射線撮影装置（例えば、ＦＰＤ）の一例を示すブロック図である。
【００１１】
図１に示すように、放射線撮影システムは、放射線発生装置１００、放射線撮影装置１０１、携帯端末（情報端末）１０２、ＬＡＮ回線１０５のアクセスポイント１０３、放射線画像の画像処理を実施する画像処理コントローラ（画像処理部）１０４、ＬＡＮ回線１０５、被検者の検査情報（被検者情報を含む）を管理するＲＩＳ（Ｒａｄｉｏｌｏｇｙ Ｉｎｆｏｒｍａｔｉｏｎ Ｓｙｓｔｅｍ）１０６、及び放射線画像を管理するＰＡＣＳ（Ｐｉｃｔｕｒｅ Ａｒｃｈｉｖｉｎｇ ａｎｄ Ｃｏｍｍｕｎｉｃａｔｉｏｎ Ｓｙｓｔｅｍ）１０７、写損した放射線画像を記憶する写損画像管理サーバ１０８を備える。
【００１２】
放射線撮影装置１０１は、放射線撮影を行い、検出された放射線に基づいて放射線画像を生成する。画像処理コントローラ１０４は、放射線画像に画像処理を施す。携帯端末１０２は、放射線撮影装置１０１及び画像処理コントローラ１０４と通信可能である。携帯端末１０２は、放射線撮影に関する各種機器の操作を実行可能である。また、携帯端末１０２はタブレット型端末やスマートフォンのように携帯性を有するが、画像処理コントローラ１０４と異なる端末であれば、携帯性の有無にかかわらず、各種の情報端末が適用可能である。ＬＡＮ回線１０５は、有線又は無線の何れでもよい。
【００１３】
図１の医療用の放射線撮影システムでは、放射線発生装置１００から曝射された放射線を、放射線が被検者の身体を透過する位置に配置された放射線撮影装置１０１が検知する。放射線撮影装置１０１は、放射線撮影を行い、検出された放射線に基づいて放射線画像データを生成する。放射線撮影装置１０１は、放射線の透過量に応じて放射線画像を生成し、生成された放射線画像を、アクセスポイント１０３及びＬＡＮ回線１０５を介して、画像処理コントローラ１０４へ送信する。
【００１４】
画像処理コントローラ１０４は、放射線画像データに画像処理を施すことにより放射線画像を生成し、放射線画像を携帯端末１０２へ送信可能である。画像処理コントローラ１０４は、放射線撮影装置１０１から受信した放射線画像データに画像処理を施すことで、視認性の高い放射線画像へと変換し、放射線画像を、ＬＡＮ回線１０５及びアクセスポイント１０３を介して、携帯端末１０２へ送信する。
【００１５】
画像処理が施された放射線画像を受信した携帯端末１０２は、同画像を画面に表示する。操作者は、携帯端末に表示された放射線画像を確認して、放射線撮影の可否を判断することができる。操作者は、携帯端末１０２を操作して、放射線撮影の可否を決定し、放射線撮影が成功した場合は、次の放射線撮影へと移行する。
【００１６】
本実施形態によれば、携帯端末１０２を用いることで、回診車に専用のモニタを搭載する必要がなくなり、病室を巡回するための運搬物を削減することができる。また、画像処理コントローラ１０４を、回診車に搭載する代わりに、院内のＬＡＮ回線１０５上に、処理能力の高い共有サーバとして接続配備することによって、病室を巡回するための運搬物をさらに削減することができる。
【００１７】
図２において、放射線撮影装置１０１は、センサ部２０１、読出制御部２０２、電源２０３、バス２０４、ＣＰＵ（処理部）２０５、ＤＲＡＭ２０６、不揮発性メモリ２０７、画像処理部２０８、操作部２０９、ＩＤ生成部２１０、及び無線通信部２１１を備える。放射線撮影装置１０１は、放射線画像データに簡易画像処理を施すことにより放射線画像を生成し、放射線画像を携帯端末１０２及び画像処理コントローラ１０４に送信する。携帯端末１０２は、放射線撮影装置１０１から受信した放射線画像に基づいて放射線撮影の可否を入力する。
【００１８】
センサ部２０１は、入射した放射線を電荷分布情報に変換する。読出制御部２０２は、センサ部２０１に蓄積された電荷分布情報をデジタル情報に置換して、ＤＲＡＭ２０６などへ読み出しを行う。電源２０３は、放射線撮影装置１０１のパワーソースとなる。バス２０４は、放射線撮影装置１０１内の各ブロックを接続し、データの双方向通信を実現する。ＣＰＵ（処理部）２０５は、放射線撮影装置１０１の制御を行う。
【００１９】
ＤＲＡＭ２０６は、放射線画像データの蓄積やプログラムの実行に利用される。不揮発性メモリ２０７は、ＣＰＵ２０５の実行コードや放射線画像データの記憶に用いられる。画像処理部２０８は、センサ部２０１からＤＲＡＭ２０６に読み出された放射線画像に簡易画像処理を施す。操作部２０９は、携帯端末１０２からの操作情報を入力する。ＩＤ生成部２１０は、放射線撮影装置１０１により撮影された放射線画像（撮影画像）を識別するためのＩＤを生成する。無線通信部２１１は、放射線画像や簡易画像処理された放射線画像を外部機器に転送する。
【００２０】
図３は、本実施形態における放射線撮影装置１０１の動作を示すフローチャートである。図４は、本実施形態における携帯端末１０２の動作を示すフローチャートである。図５は、本実施形態における画像処理コントローラ１０４の動作を示すフローチャートである。
【００２１】
以下、本放射線撮影システムが回診車であると仮定して説明を行う。なお、本発明は、回診車での運用に限定されるものではない。図１に示す放射線撮影システムにおいて、操作者は、携帯端末１０２の操作部２０９を操作して、放射線撮影を実施する検査情報をＲＩＳ１０６から取得する。撮影対象の患者（被検者）が存在する場合、操作者は、回診車を操作して、撮影対象の患者が待つ病室へと向かう。このとき、回診車には、少なくとも放射線発生装置１００と放射線撮影装置１０１と携帯端末１０２が搭載されている。
【００２２】
なお、携帯端末１０２が、スマートフォンなどの小型携帯端末である場合、小型携帯端末は、操作者が自身で携帯することも可能である。撮影対象の患者に対する放射線撮影の準備が整うと、操作者は、携帯端末１０２にて放射線撮影の開始操作を実施し、携帯端末１０２は、開始操作を受けて、放射線撮影装置１０１へ撮影開始を通知する。
【００２３】
図３に示すように、放射線撮影装置１０１は、開始通知を受けて（ステップ３０１）、放射線の曝射の開始待ち受け状態に移行する（ステップ３０２）。なお、ここでの曝射開始待ち受け（ステップ３０２）は、放射線発生装置１００からの電気的トリガ信号受信待ち受けにより実施してもよいし、放射線撮影装置１０１による放射線自動検知による待ち受けでもよい。
【００２４】
操作者は、放射線発生装置１００を操作して曝射を行い、放射線撮影を実施する。なお、携帯端末１０２からの放射線発生装置１００の操作が可能な場合は、携帯端末１０２を操作して曝射を実施してもよい。放射線撮影装置１０１は、放射線発生装置１００による放射線の曝射を検知すると（ステップ３０３）、放射線画像蓄積を開始する（ステップ３０４）。
【００２５】
放射線撮影装置１０１は、センサ部２０１にて放射線画像を電荷分布情報として蓄積する。蓄積が完了したら（ステップ３０５）、ＣＰＵ２０５からの命令に基づいて、読出制御部２０２は、センサ部２０１に蓄積された電荷分布情報をデジタル情報に置換して、バス２０４経由でＤＲＡＭ２０６などへ逐次読み出しを行う（ステップ３０６）。
【００２６】
放射線画像データの読み出しを完了すると、画像処理コントローラ１０４で画像を識別可能とするために、ＩＤ生成部２１０は、ユニークな画像ＩＤを生成する（ステップ３０７）。ＣＰＵ２０５は、放射線画像データ及び画像ＩＤを、無線通信部２１１を利用して、無線ＬＡＮのアクセスポイント１０３経由で携帯端末１０２及び画像処理コントローラ１０４へ送信開始する（ステップ３０８，ステップ３０９）。
【００２７】
なお、放射線撮影装置１０１が画像処理コントローラ１０４へ放射線画像データを送信開始する（ステップ３０９）以前に、ＣＰＵ２０５又は画像処理部２０８は、ゲイン補正や不良ピクセル補正などのプリ画像処理を実施してもよい。
【００２８】
図４に示すように、携帯端末１０２は、放射線撮影装置１０１へ撮影開始を通知すると（ステップ４０４）、放射線撮影装置１０１からの放射線画像の待ち受けに状態に入る（ステップ４０５）。携帯端末１０２が放射線撮影装置１０１から放射線画像を受信すると（ステップ４０６）、放射線画像を携帯端末１０２の表示部に表示する（ステップ４０７）。操作者は、表示された放射線画像を確認し、放射線画像の可否（成功／失敗）の判断を行う（ステップ４０８）。携帯端末１０２は、放射線画像に基づいて放射線撮影の可否を入力する。
【００２９】
放射線画像の可否の確認の結果、撮影が成功したと判断された場合、携帯端末１０２は、撮影情報と画像ＩＤを画像処理コントローラ１０４へ送信する（ステップ４０９）。携帯端末１０２は、画像ＩＤとともに放射線撮影の可を画像処理コントローラ１０４に送信する。携帯端末１０２は、放射線撮影の可が入力された場合は、画像処理コントローラ１０４が画像処理された放射線画像をＰＡＣＳ（第１の画像管理部）１０７に送信するための指示を実行する。
【００３０】
放射線画像の可否の確認の結果、撮影が失敗したと判断された場合、携帯端末１０２は、放射線撮影装置１０１から受信した放射線画像に付与されている画像ＩＤとともに、可否結果を画像処理コントローラ１０４へ送信する（ステップ４１１，ステップ４１２）。
【００３１】
携帯端末１０２は、画像ＩＤとともに放射線撮影の不可（否）を画像処理コントローラ１０４に送信する。携帯端末１０２は、放射線撮影の不可が入力された場合は、画像処理コントローラ１０４が画像処理された放射線画像を写損画像管理サーバ（第２の画像管理部）１０８に送信するための指示を実行する。また、携帯端末１０２は、画像処理コントローラ１０４が画像処理を中止するための指示、及び画像処理コントローラ１０４が放射線画像を破棄するための指示の少なくとも１つを実行してもよい。
【００３２】
また、必要に応じて、携帯端末１０２は、放射線発生装置１００へ再撮影を実施する旨を通知し（ステップ４１３）、放射線撮影装置１０１は再撮影を実施する
【００３３】
図５に示すように、画像処理コントローラ１０４は、放射線撮影装置１０１より受信した放射線画像データに対し、輝度最適化調整、エッジ強調、スムージング、及びコントラスト補正などの高度な画像処理を実施する（ステップ５０３）。画像処理コントローラ１０４は、携帯端末１０２からの画像の可否結果を待つ（ステップ５０４）。
【００３４】
画像処理コントローラ１０４は、携帯端末１０２から放射線画像の可否結果を受信（ステップ５０５）後、携帯端末１０２から受信した画像ＩＤを用いて、放射線撮影装置１０１から受信した放射線画像を検索する（ステップ５０６）。
【００３５】
放射線画像の可否結果に基づいて、撮影に成功していた場合、画像処理コントローラ１０４は、該当する画像処理済み放射線画像を、ＬＡＮ回線１０５経由でＰＡＣＳ１０７へ送信する（ステップ５０８）。画像処理コントローラ１０４は、放射線撮影が可である放射線画像を画像ＩＤに基づいて特定し、放射線撮影が可である放射線画像をＰＡＣＳ（第１の画像管理部）１０７に送信する。
【００３６】
撮影に失敗していた場合（放射線画像に写損が生じた場合）、画像処理コントローラ１０４は、該当する画像処理済み放射線画像を、ＬＡＮ回線１０５経由で写損画像管理サーバ１０８に送信する（ステップ５０９）。画像処理コントローラ１０４は、放射線撮影が不可である放射線画像を画像ＩＤに基づいて特定し、放射線撮影が不可である放射線画像を写損画像管理サーバ（第２の画像管理部）１０８に送信する。
【００３７】
写損管理サーバ１０８は、撮影情報に基づいて、放射線撮影が不可である原因を分析する。例えば、放射線の照射線量、照射時間、照射距離、照射範囲、被検者の撮影対象部位、撮影対象部位の位置、体動、及び放射線画像の飽和などの撮影情報に基づいて、写損管理サーバ１０８は、放射線撮影が不可である原因を分析する。
【００３８】
また、画像処理コントローラ１０４は、放射線撮影が不可である放射線画像を画像ＩＤに基づいて特定し、放射線撮影が不可である放射線画像の画像処理を中止すること、及び放射線撮影が不可である放射線画像を破棄することの少なくとも１つを実行してもよい。このように、撮影に失敗していた場合（放射線画像に写損が生じた場合）、画像処理コントローラ１０４は、放射線画像を削除してもよい。なお、画像処理コントローラ１０４が画像処理する前に携帯端末１０２から放射線画像の撮影失敗を受信した場合は、画像処理の完了を待たずに、放射線画像を写損画像管理サーバ１０８に送信したり、削除したりしてもよい。
【００３９】
あるいは、画像処理コントローラ１０４は、放射線画像の可否結果を待たずにＰＡＣＳ１０７に放射線画像を送信し、放射線画像の可否結果を受信後に、ＰＡＣＳ１０７に可否結果を通知し、放射線画像を写損画像として扱ってもよい。この場合、ＰＡＣＳ１０７は、放射線画像の可否結果を受信待ちしているときは、放射線画像の可否結果が未確定であることを記録又は表示する。
【００４０】
以上に示したように、第１の実施形態では、撮影時に放射線撮影装置１０１は放射線画像と放射線画像を識別できるユニークな画像ＩＤを携帯端末１０２及び画像処理コントローラ１０４へ送信する。携帯端末１０２は、放射線撮影装置１０１からの放射線画像を受信すると、放射線画像の可否確認の判断を操作者に促す。放射線画像の可否を決定すると、携帯端末１０２は、可否結果と画像ＩＤを画像処理コントローラ１０４へ送信する。
【００４１】
画像処理コントローラ１０４は、可否結果に応じて、放射線画像の送信先を変更する。撮影に成功した場合、画像処理コントローラ１０４は、放射線画像をＰＡＣＳ１０７へ送信する。撮影に失敗した場合、画像処理コントローラ１０４は、放射線画像の破棄などを行い、必要に応じて再撮影の画像の受信待ちをする。また、放射線画像を破棄する代わりに、撮影失敗時の撮影情報などを分析又は記録する場合、画像処理コントローラ１０４は、写損画像管理サーバ１０８に放射線画像を送信してもよい。
【００４２】
第１の実施形態では、放射線画像の撮影後、放射線撮影装置１０１により生成された放射線画像や簡易画像処理済み画像を携帯端末１０２上で表示して、操作者に放射線画像の可否を問う。携帯端末１０２は、放射線画像の可否結果と画像ＩＤを画像処理コントローラ１０４へ送信することによって、画像処理コントローラ１０４は、放射線画像の可否結果に応じて放射線画像の送信先を変更する。例えば、撮影に成功した放射線画像をＰＡＣＳ１０７へ送信し、撮影に失敗した放射線画像を写損画像管理サーバ１０８へ送信する。
【００４３】
（第２の実施形態）
【００４４】
図面を参照して、本発明の第２の実施形態の一例を詳しく説明する。なお、上記の実施形態と同様の構成、機能、及び動作についての説明は省略し、主に本実施形態との差異について説明する。
【００４５】
第２の実施形態における構成は、図１を用いる。第２の実施形態における各構成部の動作は、基本的に第１の実施形態における動作と同様であるが、携帯端末１０２上で判断された放射線画像の可否結果が放射線撮影装置１０１に送信される点が、第１の実施形態と異なる。
【００４６】
携帯端末１０２が放射線撮影装置１０１に放射線画像の可否結果を送信することにより、画像処理コントローラ１０４が撮影に失敗した放射線画像に画像処理を施すことを省くことが可能である。
【００４７】
図６は、放射線撮影装置１０１における撮影開始から撮影完了までの動作を示すフローチャートである。画像ＩＤの生成までのフローは、第１の実施形態と同一である。
【００４８】
放射線撮影装置１０１のＣＰＵ２０５は、放射線画像データ及び画像ＩＤを、無線通信部２１１を利用して、無線ＬＡＮのアクセスポイント１０３及びＬＡＮ回線１０５経由で携帯端末１０２へ送信開始する（ステップ６０８）。その後、放射線撮影装置１０１は、携帯端末１０２からの放射線画像の可否結果を受信待ちする（ステップ６０９）。
【００４９】
放射線撮影装置１０１は、放射線画像の可否結果を受信した（ステップ６１０）後、撮影に成功したと判断した場合は、撮影完了とみなし、無線通信部２１１を利用して、放射線画像を画像処理コントローラ１０４へ送信開始する（ステップ６１３）。放射線撮影装置１０１は、放射線撮影が可である放射線画像を画像ＩＤに基づいて特定し、放射線撮影が可である放射線画像を画像処理コントローラ１０４に送信する。
【００５０】
放射線撮影装置１０１は、放射線画像の可否結果を受信した後、撮影に失敗したと判断した場合は、放射線画像を破棄し、再撮影の準備を行う（ステップ６１５，ステップ６１６）。放射線撮影装置１０１は、放射線撮影が不可である放射線画像を画像ＩＤに基づいて特定し、放射線撮影が不可である放射線画像の画像処理コントローラ１０４への送信を中止すること及び放射線撮影が不可である放射線画像を破棄することの少なくとも１つを実行する。
【００５１】
また、放射線撮影装置１０１は、放射線画像を破棄せずに、写損管理サーバ１０８に放射線画像を送信してもよい。この場合、放射線撮影装置１０１は、放射線撮影が不可である放射線画像を画像ＩＤに基づいて特定し、放射線撮影が不可である放射線画像を写損管理サーバ（第２の画像管理部）１０８に送信することを実行する。
【００５２】
写損画像管理サーバ１０８は、撮影情報に基づいて、放射線撮影が不可である原因を分析する。例えば、放射線の照射線量、照射時間、照射距離、照射範囲、被検者の撮影対象部位、撮影対象部位の位置、体動、及び放射線画像の飽和などの撮影情報に基づいて、写損画像管理サーバ１０８は、放射線撮影が不可である原因を分析する。
【００５３】
図７は、携帯端末１０２における撮影開始から撮影完了までの動作を示すフローチャートである。放射線画像の可否確認までのフローは第１の実施形態例と同一である。携帯端末１０２は、放射線画像に基づいて放射線撮影の可否を入力する（ステップ７０８）。携帯端末１０２は、画像ＩＤとともに放射線撮影の可否を放射線撮影装置１０１に送信する（ステップ７０９，ステップ７１２）。
【００５４】
撮影画像の可否結果にかかわらず、携帯端末１０２は、放射線撮影装置１０１から受信した画像に付与された画像ＩＤとともに、放射線画像の可否結果を放射線撮影装置１０１へ送信する。なお、放射線撮影装置１０１に放射線画像を複数枚記憶する機能が備わっていない場合は、放射線画像を一意に識別できるため、ユニークな画像ＩＤを使用しなくてもよい。
【００５５】
携帯端末１０２は、放射線撮影の不可が入力された場合は、放射線撮影装置１０１が放射線画像を写損画像管理サーバ（第２の画像管理部）１０８に送信するための指示を実行する。携帯端末１０２は、放射線撮影の不可が入力された場合は、放射線撮影装置１０１が放射線画像を画像処理コントローラ１０４へ送信することを中止するための指示及び放射線撮影装置１０１が放射線画像を破棄するための指示の少なくとも１つを実行してもよい。
【００５６】
携帯端末１０２上で放射線画像の可否確認が行われた結果、撮影が失敗したと判断された場合（写損が生じた場合）、携帯端末１０２は、必要に応じて、放射線発生装置１００へ再撮影を実施する旨を通知する（ステップ７１３）。
【００５７】
以上に示したように、第２の実施形態では、撮影時に放射線撮影装置１０１が放射線画像と放射線画像を識別できるユニークな画像ＩＤを携帯端末１０２へ送信する。携帯端末１０２は、放射線撮影装置１０１からの放射線画像を受信すると、放射線画像の可否確認の判断を操作者に促す。放射線画像の可否を決定すると、携帯端末１０２は、可否結果と画像ＩＤを放射線撮影装置１０１へ送信する。
【００５８】
放射線撮影装置１０１は、可否結果より、撮影に成功したと判断した場合は、画像処理コントローラ１０４に放射線画像を送信し、画像処理コントローラ１０４は、画像処理済み画像をＰＡＣＳ１０７へ送信する。
【００５９】
放射線撮影装置１０１は、可否結果より、撮影に失敗したと判断した場合は、放射線画像の破棄などを行い、必要に応じて再撮影の準備を行う。また、放射線撮影装置１０１は、画像を破棄する代わりに、写損画像管理サーバ１０８に放射線画像を送信してもよい。
【００６０】
第２の実施形態では、撮影に失敗したときに、画像処理コントローラ１０４での不要な画像処理を回避することができる。また、放射線撮影装置１０１から画像処理コントローラ１０４への不要な画像転送を省くことができるため、ＬＡＮ回線１０５の負荷を低減することができる。
【００６１】
以上、本発明に係る実施形態について説明したが、本発明はこれらに限定されるものではなく、請求項に記載された範囲内において変更・変形することが可能である。
【００６２】
本発明は、上記の実施形態の機能を実現するソフトウェア（プログラム）をネットワーク又は各種記憶媒体を介してシステム又は装置に供給し、システム又は装置のコンピュータ（ＣＰＵやＭＰＵなど）がプログラムを読み出すことにより実行されてもよい。また、本発明は、システム又は装置のコンピュータにおける１つ以上のプロセッサーがプログラムを読出し実行する処理でも実現可能であり、１以上の機能を実現する回路（例えば、ＡＳＩＣ）によっても実現可能である。
【符号の説明】
【００６３】
１００  放射線発生装置
１０１  放射線撮影装置
１０２  携帯端末
１０３  アクセスポイント
１０４  画像処理コントローラ
１０５  ＬＡＮ回線
１０６  ＲＩＳ
１０７  ＰＡＣＳ
１０８  写損画像管理サーバ
２０１  センサ部
２０２  読出制御部
２０３  電源
２０４  バス
２０５  ＣＰＵ
２０６  ＤＲＡＭ
２０７  不揮発性メモリ
２０８  画像処理部
２０９  操作部
２１０  ＩＤ生成部
２１１  無線通信部
【図１】
2018126329.tif 000003
【図２】
2018126329.tif 000004
【図３】
2018126329.tif 000005
【図４】
2018126329.tif 000006
【図５】
2018126329.tif 000007
【図６】
2018126329.tif 000008
【図７】
2018126329.tif 000009